(57)【要約】【課題】従来、非常夜電源のオーバーシュートを防止するために、放電抵抗を含むダミー負荷回路を用いて、非常夜電源の放電を行っていたが、ダミー負荷回路を用いた場合、コストが増加する。そのため、ダミー負荷回路などの余分な負荷回路を用いずに、従来の回路部、機能を用いて非常夜電源の放電を行い、コストダウンを図る。【解決手段】  スタンバイモードと省電力モードとを有する画像形成装置において、負荷回路（２）、（３）に対して、スタンバイモードにおいては電源の供給を実行し、省電力モードにおいては電源の供給を停止するとともに、負荷回路（ファン）に対して、スタンバイモードから省電力モードに移行する際に電源の供給を実行する。  これにより、ダミー負荷回路を用いることなく、非常夜電源の電位のオーバーシュートを防止し、負荷回路に障害を与えることを防止することができる。【選択図】図８
2020076876.tif 000002
【特許請求の範囲】
【請求項１】
電力モードとして、少なくとも、第１の電力モードと、前記第１の電力モードより消費電力が小さい第２の電力モードと、を有し、
複数の機能を実行することができる画像形成装置であって、
第１の負荷と、
第２の負荷と、
前記第１の負荷、及び、前記第２の負荷に電源を供給する電源供給手段と、を有し、
前記電源供給手段は、
前記第２の負荷に対して、前記第１の電力モードにおいては前記電源の供給を実行し、前記第２の電力モードにおいては前記電源の供給を停止するとともに、
前記第１の負荷に対して、前記第１の電力モードから前記第２の電力モードに移行する際に前記電源の供給を実行する
ことを特徴とする画像形成装置。
【請求項２】
前記電源供給手段は、
前記第１の負荷に対して、前記第１の電力モードから前記第２の電力モードに移行してから、あらかじめ設定した所定時間が経過した時点で、前記電源の供給を停止する
ことを特徴とする請求項１に記載の画像形成装置。
【請求項３】
前記電源供給手段は、
前記第１の負荷に対して、前記第１の電力モードにおいて、前記電源の供給の実行又は停止をする
ことを特徴とする請求項１又は２に記載の画像形成装置。
【請求項４】
前記電源供給手段は、
前記第１の負荷に対して、前記第１の電力モードにおいて、前記第１の電力による前記電源の供給の実行、又は、前記第１の電力より小さい第２の電力による前記電源の供給の実行をする
ことを特徴とする請求項１又は２に記載の画像形成装置。
【請求項５】
前記第２の電力は、前記第１の電力の半分である
ことを特徴とする請求項４に記載の画像形成装置。
【請求項６】
前記第１の負荷は、１つの負荷回路からなる
ことを特徴とする請求項１乃至５のいずれか１項に記載の画像形成装置。
【請求項７】
前記第１の負荷は、前記電源の供給の実行又は停止によっては、前記機能に影響を及ぼさないものである
ことを特徴とする請求項１乃至６のいずれか１項に記載に画像形成装置。
【請求項８】
前記第１の負荷は、ファンを駆動するための負荷回路である
ことを特徴とする請求項６又は７に記載の画像形成装置。
【請求項９】
前記ファンは、前記電源供給手段を冷却するためのファンである
ことを特徴とする請求項８に記載の画像形成装置。
【請求項１０】
前記第２の負荷は、複数の負荷回路からなる
ことを特徴とする請求項１乃至９のいずれか１項に記載に画像形成装置。
【請求項１１】
前記第２の負荷は、前記複数の機能のいずれかを実行するための負荷回路である
ことを特徴とする請求項１０に記載の画像形成装置。
【請求項１２】
前記複数の機能は、少なくとも、スキャン及びプリントを含む
ことを特徴とする請求項１１に記載の画像形成装置。
【請求項１３】
前記電源供給手段は、外部電源を、第１の電源と第２の電源とに分割して、前記第１の負荷及び前記第２の負荷に供給する
ことを特徴とする請求項１乃至１２のいずれか１項に記載に画像形成装置。
【請求項１４】
前記第２の電源は、前記第１の電力モードにおいては、供給され、前記第２の電力モードにおいては、供給が遮断される
ことを特徴とする請求項１３に記載の画像形成装置。
【請求項１５】
前記第１の電源は、画像形成装置がＯＮの場合においては、供給され、画像形成装置がＯＦＦの場合においては、供給が遮断される
ことを特徴とする請求項１３又は１４に記載の画像形成装置。
【請求項１６】
前記第２の負荷に対する、前記第１の電力モードにおける前記電源の供給は、前記第２の電源により実行される
ことを特徴とする請求項１４に記載の画像形成装置。
【請求項１７】
前記第１の負荷に対する、前記第２の電力モードにおける前記電源の供給は、前記第２の電源に接続されたコンデンサに蓄積された電荷により実行される
ことを特徴とする請求項１３に記載の画像形成装置。
【請求項１８】
前記電源供給手段は、前記第２の電力モードにおいて、前記コンデンサに蓄積された電荷の放電が完了した時点で、前記第１の負荷に対する電源の供給を停止する
ことを特徴とする請求項１７に記載の画像形成装置。
【請求項１９】
電力モードとして、少なくとも、第１の電力モードと、前記第１の電力モードより消費電力が小さい第２の電力モードと、を有し、
複数の機能を実行することができる画像形成装置の制御方法であって、
第２の負荷に対して、前記第１の電力モードにおいて電源の供給を実行する工程と、前記第２の電力モードにおいて前記電源の供給を停止する工程と、を有し、
第１の負荷に対して、前記第１の電力モードから前記第２の電力モードに移行する際に前記電源の供給を実行する工程と、を有する
ことを特徴とする画像形成装置の制御方法。
【請求項２０】
請求項１９の画像形成装置の制御方法をコンピュータにより実行させるためのプログラム。
【発明の詳細な説明】
【技術分野】
【０００１】
本発明は、複数の電力モードを有する画像形成装置、画像形成装置の制御方法、及びプログラムに関するものである。
【背景技術】
【０００２】
画像形成装置には、各種の電力モードが備えられている。例えば、印刷や原稿読み取りなどを行う際の動作モード、各種の動作を待機している際のスタンバイモード、あらかじめ設定した一定時間の間に動作が行われない場合に消費電力を削減するために移行する省電力モード、などである。
【０００３】
スタンバイモードから省電力モードへの移行は、例えば、ユーザが操作部上のモード切替スイッチを押下することにより行われる。
また、画像形成装置には、例えば、コントローラ部内に復帰制御を行なう制御回路部など、省電力モードからスタンバイモードへ復帰するための復帰動作を検知する検知手段が設けられている。こうした検知手段は、省電力モードにおいては常夜電源から供給を受け続けており、省電力モードにおいて復帰動作を検知すると、非常夜電源の供給を開始して、画像形成装置をスタンバイモードに復帰させる。
【０００４】
ところで、画像形成装置は、機能毎に、複数の負荷回路を有している。そして、負荷回路毎に切替スイッチを設けて、各切替スイッチのＯＮ／ＯＦＦ制御を行うことにより、各負荷回路へ電源を供給したり遮断したりすることが行われている。
例えば、画像形成装置をスタンバイモードから省電力モードへ移行する場合、コントローラ部内の電源制御部からの制御信号により電源供給部のスイッチをＯＦＦして、各負荷回路への非常夜電源の供給を遮断する。
一方、画像形成装置を省電力モードからスタンバイモードに移行する場合、モード切替スイッチからの復帰信号をトリガにして、電源制御部から制御信号を出力して、電源供給部からの非常夜電源の供給を開始する。そして、電源制御部は、各切替スイッチをＯＮにして、各負荷回路への非常夜電源の供給を行う。
【０００５】
ここで、省電力モードからスタンバイモードへの移行する場合、スタンバイモードへの移行の開始時に、急激な負荷の変動のために、非常夜電源の電位の急激な変動が発生することがある。例えば、画像形成装置が省電力モードに移行してから、モード切替スイッチの操作によりスタンバイモードに復帰する際、省電力モードの状態にある時間が短い場合に、こうした問題が発生することがある。
例えば、省電力モードの状態にある時間が短い場合、スタンバイモードから省電力モードへ移行して電源供給部からの電源の供給が遮断された後、非常夜電源の電位がＧＮＤにまで低下する前に、電源供給部からの電源の供給が再開されることになる。
この場合、非常夜電源に接続された電源コンデンサに電荷が蓄積されたままの状態において非常夜電源の供給が再開されるため、非常夜電源の電位にオーバーシュートが発生する。さらに、非常夜電源の電位にオーバーシュートが発生すると、オーバーシュートを検知した電源供給が非常夜電源の供給を緊急停止してしまい、瞬間的に電圧降下を発生させてしまう。
このような非常夜電源の電位にオーバーシュートや急激な電圧降下（アンダーシュート）が発生すると、各負荷回路に障害が与える可能性がある。
なお、この点の詳細については、第１の従来例として、図４、図５などを用いて後述する。
【０００６】
こうした問題に対応して、特許文献１には、スタンバイモードから省電力モードに移行する時、短時間で非常夜電源の電位をＧＮＤまで下げるために、負荷電流の大きい放電抵抗を含むダミー負荷回路を備える画像形成装置が開示されている。そして、切替スイッチを介してダミー負荷回路と非常夜電源を接続して、省電力モードに移行する時に切替スイッチをＯＮにして、ダミー負荷回路を非常夜電源に接続させる。
これにより、特許文献１では、非常夜電源に接続された電源コンデンサに蓄積された電荷をＧＮＤに放電して、非常夜電源の電位を急峻にＧＮＤに下げることを図っている。このように、省電力モードにおいて非常夜電源の電位がＧＮＤになれば、スタンバイモードに移行しても、各負荷回路に障害を与えることはなくなる。
なお、この点の詳細については、第２の従来例として、図６、図７などを用いて後述する。
【先行技術文献】
【特許文献】
【０００７】
【特許文献１】特開２０１４−１４３８３４公報
【発明の概要】
【発明が解決しようとする課題】
【０００８】
しかし、特許文献１のように、放電抵抗を有するダミー負荷回路を備えた場合、瞬時に電流を流すために放電抵抗に流れる電流が大きくなり、消費電力が多くなってしまう。また、大きな放電抵抗を有するダミー負荷回路が必要になるため、ダミー負荷回路を実装するためにコントローラ部の面積が大きくなり、コストの増加にもつながってしまう。
【０００９】
本発明は、このような状況に鑑み、放電抵抗によるダミー負荷回路とＯＮ／ＯＦＦを制御するスイッチを用いることなく、ダミー負荷回路と同じ効果を達成し、コストダウンを図ることを目的とする。
【課題を解決するための手段】
【００１０】
本発明は、電力モードとして、少なくとも、第１の電力モードと、前記第１の電力モードより消費電力が小さい第２の電力モードと、を有し、複数の機能を実行することができる画像形成装置であって、第１の負荷と、第２の負荷と、前記第１の負荷、及び、前記第２の負荷に電源を供給する電源供給手段と、を有し、前記電源供給手段は、前記第２の負荷に対して、前記第１の電力モードにおいては前記電源の供給を実行し、前記第２の電力モードにおいては前記電源の供給を停止するとともに、前記第１の負荷に対して、前記第１の電力モードから前記第２の電力モードに移行する際に前記電源の供給を実行することを特徴とする。
【発明の効果】
【００１１】
本発明によれば、ダミー負荷回路を用いることなく、従来の回路構成と同様のまま、非常夜電源の電位のオーバーシュートを防止し、負荷回路に障害を与えることを防止することができる。
【図面の簡単な説明】
【００１２】
【図１】画像形成装置の外観図である。
【図２】画像形成装置の内部構成を示すブロック図である。
【図３】電源供給部の電源ブロック図である。
【図４】第１の従来例及び第１の実施例における、コントローラ部のブロック図である。
【図５】第１の従来例における、省電力モードからスタンバイモードに復帰する際の各制御信号と非常夜電源の電位の変化を示すタイミングチャートである。
【図６】第２の従来例における、コントローラ図のブロック図である。
【図７】第２の従来例における、省電力モードからスタンバイモードに復帰する際の各制御信号と非常夜電源の電位の変化を示すタイミングチャートである。
【図８】第１の実施例における、省電力モードからスタンバイモードに復帰する際の各制御信号と非常夜電源の電位の変化を示すタイミングチャートである。
【図９】第２の実施例における、コントローラ図のブロック図である。
【図１０】第２の実施例における、省電力モードからスタンバイモードに復帰する際の各制御信号と非常夜電源の電位の変化を示すタイミングチャートである。
【図１１】第１の実施例における、省電力モードからスタンバイモードに復帰する際の各制御信号の制御を示すフローチャートである。
【図１２】第２の実施例における、省電力モードからスタンバイモードに復帰する際の各制御信号の制御を示すフローチャートである。
【図１３】第２の実施例の比較例における、省電力モードからスタンバイモードに復帰する際の各制御信号と非常夜電源の電位の変化を示すタイミングチャートである。
【発明を実施するための形態】
【００１３】
以下、本発明を実施するための形態について図面を用いて説明する。
＜第１の実施例＞
【００１４】
図１は、本発明に係る画像形成装置１の外観図である。
画像形成装置１は、画像入力デバイスであるスキャナ部１０、画像出力デバイスであるプリンタ部２０、ユーザインターフェースである操作部３０、などから構成される。また、画像形成装置１は、画像形成装置１全体を制御するコントローラ部４０、画像形成装置１の電源のＯＮ／ＯＦＦを制御するためのメインスイッチ５０、不図示の外部電源から画像形成装置１に電源を供給するための供給元となるコンセント３を備えている。
画像形成装置１は、本来の機能として、画像出力（プリント）、画像入力（スキャン）などの複数の機能を有しており、これらの機能は、それぞれ、プリンタ部２０、スキャナ部１０などにおいて実行される。
【００１５】
スキャナ部１０は、原稿上の画像を露光走査して得られた反射光をＣＣＤに入力することで、画像の情報を電気信号に変換する。さらに、電気信号をＲ，Ｇ，Ｂ各色からなる輝度信号に変換し、輝度信号を画像データとしてコントローラ部４０に対して出力する。
原稿は原稿フィーダ１０１のトレイ１０２にセットされる。ユーザが操作部３０から原稿の読み取り開始を指示すると、コントローラ部４０からスキャナ部１０に原稿読み取りの指示が与えられる。スキャナ部１０は、指示を受けると、原稿フィーダ１０１のトレイ１０２から原稿を１枚ずつフィードして、原稿の読み取り動作を行う。
【００１６】
プリンタ部２０は、コントローラ部４０から受け取った画像データを用紙上に形成する画像形成デバイスである。なお、以下の実施例において、画像形成方式は、感光体ドラムや感光体ベルトを用いた電子写真方式であるが、本発明はこれらに限られるものではない。例えば、微少ノズルアレイからインクを吐出して用紙上に印字するインクジェット方式なども適用可能である。
また、プリンタ部２０には、異なる用紙サイズ又は異なる用紙向きを選択可能とする複数の用紙カセット２０１，２０２，２０３が設けられている。排紙トレイ２０４には印字後の用紙が排出される。
【００１７】
操作部３０には、画像形成装置１の電源のＯＮ／ＯＦＦを制御するメインスイッチ５０が設けられている。また、画像形成装置１を省電力モードから動作モードに復帰させる際や、スタンバイモードから省電力モードに復帰させる際などに用いられるモード切替スイッチ（不図示）が設けられている。
なお、画像形成装置の電力モードには複数の電力モードがある。スタンバイモードは、ユーザからのスキャンやプリントなどの動作の指示を待機しているモードである。また、省電力モードは、あらかじめ設定した一定時間の間にユーザの操作が行われない場合や、ユーザがモード切替スイッチにおいて指示した場合に移行するモードであり、スタンバイモードより消費電力が小さい。
【００１８】
コントローラ部４０は、画像形成装置１の動作を制御する部位であり、データの送受信、データの変換、電力制御を行う。
【００１９】
図２は、画像形成装置１の内部構成を示すブロック図である。図２を用いて、各ブロックの機能や、画像形成装置１が実行するの各処理について説明する。
【００２０】
画像形成装置１を電源ＯＮさせる場合、まず、ユーザがメインスイッチ５０をＯＮにする。すると、電源制御部６０が、コンセント３を介して外部電源（不図示）から供給される電源から、スキャナ部１０、プリンタ部２０、操作部３０、コントローラ部４０の各ブロックに必要な複数の電源を生成し、生成した電源を各ブロックに供給する。
画像形成装置１を電源ＯＦＦさせる場合も、ユーザがメインスイッチ５０をＯＦＦにすることで、電源制御部６０は、スキャナ部１０、プリンタ部２０、操作部３０、コントローラ部４０の各ブロックへの電源の供給を停止する。
【００２１】
画像形成装置１がプリント動作を実行する場合、ジョブデータが、ネットワーク２を介しててコントローラ部４０に転送されて、一旦保存される。コントローラ部４０は、保存したジョブデータを画像データに変換し、プリンタ部２０に転送する。プリンタ部２０は、コントローラ部４０の制御に基づいて、画像データを記録紙に印字して、印字した記録紙を装置外に排出する。
【００２２】
画像形成装置１がスキャン動作を実行する場合、ユーザが原稿をスキャナ部１０にセットして、操作部３０の画面を参照しながらボタンを操作することによりスキャン動作の設定をした後、スキャン動作の開始を指示する。スキャナ部１０は、コントローラ部４０の制御に基づいて、原稿上の画像を光学的に読み取り、画像データに変換する。スキャナ部１０は、画像データをコントローラ部４０に一旦保存した後、あらかじめ操作部３０で指定された送信先に画像データを転送する。
【００２３】
画像形成装置１がコピー動作を実行する場合、ユーザが原稿をスキャナ部１０にセットして、操作部３０の画面を参照しながらボタンを操作することによりコピー動作の設定をした後、コピー動作の開始を指示する。スキャナ部１０は、コントローラ部４０の制御に基づいて、原稿上の画像を光学的に読み取り、画像データに変換する。スキャナ部１０は、画像データをコントローラ部４０に一旦保存する。コントローラ部４０は、プリンタ部２０で利用できるデータ形式に画像データを変換して、画像データをプリンタ部２０に送信する。プリンタ部２０は、画像データを記録紙に印字して、印字した記録紙を装置外に排出する。
【００２４】
図３は、電源供給部６０の電源ブロック図である。
電源供給部６０は、コンセント３を介して外部電源から供給されるＡＣ電源をＤＣ電源に変換するＡ／Ｄ変換部６００、リレーＲ１，Ｒ２を有する。また、電源供給部６０には、メインスイッチ５０、電源の供給元となるコンセント３が接続される。
リレーＲ１は、Ａ／Ｄ変換部６００から供給されたＤＣ電源を、画像形成装置１へ常夜電源Ｖ１として供給する際のＯＮ／ＯＦＦの切り替えを行うスイッチである。また、リレーＲ２は、Ａ／Ｄ変換部６００から供給されたＤＣ電源を、画像形成装置１へ非常夜電源Ｖ２として供給する際のＯＮ／ＯＦＦの切り替えを行うスイッチである。
【００２５】
リレーＲ１は、画像形成装置１が電源ＯＦＦの時だけ、コントローラ部４０から出力される制御信号Ｐ１によりＯＦＦになる。すなわち、リレーＲ１は、動作モードやスタンバイモードに限られず、省電力モードにおいても、ＯＮ状態にある。メインスイッチ５０がＯＮされると、リレーＲ１は、制御信号Ｐ１により自動的に接続される。
リレーＲ２は、メインスイッチ５０がＯＦＦされたときにＯＦＦになる以外に、省電力モードに入るときにコントローラ部４０出力される制御信号Ｐ２によりＯＦＦになる。一方、リレーＲ２は、動作モードやスタンバイモードにおいては、ＯＮ状態にある。
【００２６】
常夜電源Ｖ１は、コントローラ部４０、操作部３０、スキャナ部１０、などの各ブロックに供給される。常夜電源Ｖ１は、メインスイッチ５０がＯＮであり、画像形成装置１が電源ＯＮとなっている限り、供給される。
常夜電源Ｖ１は、省電力モードにおいては、主として、コントローラ部４０の制御を行うために用いられる。
ただし、操作部３０においても、省電力モードから動作モードに復帰するためのモード切替スイッチ（不図示）を制御するために、微小ではあるが常夜電源が用いられる。なお、モード切替スイッチは、省電力モードへ移行するためのスイッチ機能を併せ持つ。
また、スキャナ部１０においても、同様に、省電力モードから動作モードに復帰する際に使用される原稿搬送部の原稿検知センサのために、微小ではあるが常夜電源が用いられる。
【００２７】
一方、非常夜電源Ｖ２は、コントローラ部４０、操作部３０、スキャナ部１０、プリンタ部２０、などの各ブロックに供給される。非常夜電源Ｖ１は、スタンバイモードにおいては、ユーザの操作に対応するため、スキャナ部１０、プリンタ部２０、などの各ブロックに供給される。ただし、省電力モードにおいては、消費電力を抑えるために、供給をできるだけ遮断することが望まれる。
【００２８】
次に、ユーザがメインスイッチ５０をＯＮまたはＯＦＦした時における、電源供給部６０において行われる電源供給処理について説明する。
先ず、メインスイッチ５０がＯＮ（画像形成装置１が電源ＯＮ）になった時の制御について説明する。
Ａ／Ｄ変換部６００は、コンセント３を介して外部電源から供給されるＡＣ電源をＤＣ電源に変換し、ＤＣ電源を画像形成装置１へ供給する常夜電源Ｖ１と非常夜電源Ｖ２とに分割する。メインスイッチ５０がＯＮになると、リレーＲ１が接続し、常夜電源Ｖ１が画像形成装置１に供給される。
【００２９】
この時点では、非常夜電源Ｖ２のＯＮ／ＯＦＦの切り替えを行うリレーＲ２は、まだＯＦＦ状態である。
その後、画像形成装置１が動作モード又はスタンバイモードに移行すると、常夜電源Ｖ１により稼働されるコントローラ４０内の電源制御部４２０（図４で後述）は、リレーＲ２のＯＮ／ＯＦＦを切り替える制御信号Ｐ２を出力する。これにより、リレーＲ２がＯＮとなり、非常夜電源Ｖ２が画像形成装置１に供給される。
【００３０】
次に、メインスイッチ５０がＯＦＦ（画像形成装置１が電源ＯＦＦ）になった時の制御について説明する。
以下の実施例においては、メインスイッチ５０がＯＦＦされると、機械的な動作によりリレーＲ１が直ちにＯＦＦになるのではない。
メインスイッチ５０がＯＦＦされる動作を検知すると、まず、ＣＰＵ４０１（図４で後述）は、画像形成装置１において稼働している処理を停止して、画像形成装置１をスタンバイモードに移行する。そして、制御信号Ｐ２によりリレーＲ２をＯＦＦし、非常夜電源Ｖ２の供給を遮断する。その後、ＣＰＵ４０１は、電源制御部４２０から制御信号Ｐ１を出力することにより、リレーＲ１をＯＦＦして、画像形成装置１への常夜電源Ｖ１の供給を遮断する。
【００３１】
次に、画像形成装置１を省電力モードに移行する際に、非常夜電源Ｖ２をＯＦＦする時の制御について説明する。
スタンバイモードにおいて、ユーザが操作部３０上のモード切替スイッチ（不図示）を押下して省電力モードへの移行を指示するか、あるいは、設定した時間以上操作が行われない場合、画像形成装置１は省電力モードに移行する。
この時、電源制御部４２０から制御信号Ｐ２が出力されることにより、リレーＲ２がＯＦＦになる。これにより、非常夜電源Ｖ２の供給が遮断され、画像形成装置１は省電力モードに移行する。
【００３２】
図４は、第１の従来例におけるコントローラ部４０のブロック図である。
コントローラ部４０は、図１で示したように、スキャナ部１０やプリンタ部２０と電気的に接続されており、また、ＬＡＮ２を介して、ＰＣなどの外部装置に接続されている。これにより、コントローラ部４０では、画像データやデバイス情報の入出力が可能となっている。
なお、コントローラ部４０は、図４で図示されるＣＰＵ４０１以外に、ＲＯＭ、ＲＡＭ、ＨＤＤなどの記録デバイスが備えられているが、以下では、これらの記録デバイスについては説明を省略する。
【００３３】
コントローラ部４０は、画像形成装置１全体の電源を制御する電源制御部４２０を備えている。電源制御部４２０は、ＣＰＵ４０１により制御され、電源の供給の実行又は停止を制御する。
負荷回路は、機能毎に、複数に分割して設けられ、電源ＳＷにより負荷回路毎に電力の供給又は遮断が切り替えられる。
【００３４】
なお、負荷回路（２）４３２や負荷回路（３）４３３は、例えば、スキャンやプリント等の画像形成装置１が有する本来の機能を実行するための回路である。このため、負荷回路（２）４３２や負荷回路（３）４３３は、スタンバイモードにおいては、ユーザの操作によりすぐにスキャンやプリント等が実行できるように、常に非常夜電源が供給されている。
これに対して、負荷回路（ファン）４３１は、例えば、コントローラ部４０を冷却するためのファンを駆動するための回路である。負荷回路（ファン）４３１は、電源を供給しても遮断しても、画像形成装置１本来の機能に影響を及ぼすものではないため、スタンバイモードにおいては、冷却が必要であれば電源を供給するが、冷却が不要となれば電源の供給を停止する。
【００３５】
電源ＳＷ（ＦＡＮ）４２１は、負荷回路（ファン）４３１へ供給する非常夜電源Ｖ２１の接続又は遮断を行うスイッチである。
電源ＳＷ（ＦＡＮ）４２１は、電源制御部４２０から出力される制御信号Ｐ２１により制御される。なお、制御信号Ｐ２１がＨｉｇｈになると、電源ＳＷ（ＦＡＮ）４２１はＯＮとなり、非常夜電源Ｖ２１が負荷回路（ファン）４３１へ供給される。一方、制御信号Ｐ２１がＬｏｗになると、電源ＳＷ（ＦＡＮ）４２１はＯＦＦとなり、非常夜電源Ｖ２１の負荷回路（ファン）４３１へ供給が停止する。
【００３６】
電源ＳＷ（２）４２２は、負荷回路（２）４３２へ供給する非常夜電源Ｖ２２の接続又は遮断を行うスイッチである。
電源ＳＷ（２）４２２は、電源制御部４２０から出力される制御信号Ｐ２２によりで制御される。なお、制御信号Ｐ２２がＨｉｇｈになると、電源ＳＷ（２）４２２はＯＮとなり、非常夜電源Ｖ２２が負荷回路（２）４３２へ供給される。一方、制御信号Ｐ２２がＬｏｗになると、電源ＳＷ（２）４２２はＯＦＦとなり、非常夜電源Ｖ２２の負荷回路（２）４３２へ供給は停止する。
【００３７】
電源電源ＳＷ（３）４２３は、負荷回路（３）４３３へ供給する非常夜電源Ｖ２３の接続又は遮断を行うスイッチである。
電源ＳＷ（３）４２３は、電源制御部４２０から出力される制御信号Ｐ２３によりで制御される。なお、制御信号Ｐ２３がＨｉｇｈになると、電源ＳＷ（３）４２３はＯＮとなり、非常夜電源Ｖ２３が負荷回路（３）４３３へ供給される。一方、制御信号Ｐ２３がＬｏｗになると、電源ＳＷ（３）４２３はＯＦＦとなり、非常夜電源Ｖ２３の負荷回路（３）４３３へ供給は停止する。
【００３８】
また、電源制御部４２０は、電源供給部６０へ非常夜電源Ｖ２をＯＮ／ＯＦＦする制御信号Ｐ２を出力する。また、電源制御部４２０は、常夜電源Ｖ１をＯＮ／ＯＦＦする制御信号Ｐ１を出力する。
【００３９】
電源ＳＷ（ＦＡＮ）４２１，電源ＳＷ（２）４２２，電源ＳＷ（３）４２３を介して各負荷回路（ＦＡＮ）４３１，（２）４３２，（３）４３３に供給される各非常夜電源Ｖ２１，Ｖ２２，Ｖ２３は、それぞれ、電源供給部６０から供給される。
また、ＣＰＵ４０１、電源制御部４２０、操作部３０に設けられたモード切替スイッチ（不図示）には、それぞれ、電源供給部６０から常夜電源Ｖ１が供給されている。
なお、非常夜電源Ｖ２が供給される電源ラインには、接地との間に電源コンデンサＣが接続されている。
【００４０】
次に、図５を用いて、第１の従来例における、画像形成装置１がスタンバイモードから省電力モードに移行後、短時間で、再びスタンバイモードに復帰する際の、各制御信号と非常夜電源Ｖ２の電位の変化を示すタイミングチャートについて説明する。
【００４１】
まず、コントローラ部４０を冷却する必要がなくなったと不図示の検知手段が判断すると（ｔｓの時点）、電源制御部４２０はファンの駆動を停止する。そのため、電源制御部４２０は、電源ＳＷ（ＦＡＮ）４２１に出力する制御信号Ｐ２１をＨｉｇｈからＬｏｗにする。これにより、電源ＳＷ（ＦＡＮ）４２１がＯＦＦとなり、負荷回路（ＦＡＮ）４３１への非常夜電源Ｖ２１の供給が停止する。
【００４２】
その後、ユーザが動作を指示することなくｔｓから一定時間が経過するか、ユーザがモード切替スイッチを押下して省電力モードへの移行を指示すると（ｔ１の時点）、画像形成装置１は省電力モードに移行する。この時点において、電源制御部４２０はリレーＲ２に出力する制御信号Ｐ２をＬｏｗにすることにより、外部電源から非常夜電源Ｖ２への電源の供給を遮断する。同時に、電源制御部４２０は、電源ＳＷ（２）４２２及び電源ＳＷ（３）４２３へ出力する制御信号ＳＷ２及びＳＷ３をＬｏｗにして、負荷回路（２）４３２及び負荷回路（３）４３３への非常夜電源Ｖ２２，Ｖ２３の供給を停止する。
これにより、非常夜電源Ｖ２の電位は、電源供給部６０からの電源の供給が遮断された時点（ｔ１）から、ＧＮＤとへ下がり始める。しかし、電源ＳＷ（ＦＡＮ）４２１、電源ＳＷ（２）４２２、電源ＳＷ（３）４２３をＯＦＦして、負荷から切り離しているとともに、非常夜電源コンデンサＣに蓄積している電荷があるため、非常夜電源Ｖ２の電位はすぐにはＧＮＤへと下がらない。
【００４３】
ここで、ユーザが操作部３０のモード切替スイッチを押下して、画像形成装置１がスタンバイモードに復帰すると（ｔ２の時点）、電源制御部４２０はリレーＲ２に出力する制御信号Ｐ２をＨｉｇｈにし、外部電源から非常夜電源Ｖ２への電力の供給を再開する。そして、電源制御部４２０が各電源ＳＷ（ＦＡＮ）４２１、電源ＳＷ（２）４２２、電源ＳＷ（３）４２３をＯＮして、負荷回路（ファン）４３１、負荷回路（２）４３２、負荷回路（３）４３３に非常夜電源Ｖ２１，Ｖ２２，Ｖ２３の供給を再開する。
【００４４】
しかし、非常夜電源Ｖ２の電位がＧＮＤに下がりきっていない段階において電源の供給が再開すると、電源コンデンサＣに電荷が蓄積しているため、非常夜電源Ｖ２にオーバーシュートが発生してしまう。オーバーシュートが発生すると、電源供給部６０は非常夜電源Ｖ２への電源の供給を緊急停止する。電源の供給が緊急停止すると、各負荷回路４３１，４３２，４３３が各スイッチ電源ＳＷ（ＦＡＮ）４２１，電源ＳＷ（２）４２２，電源ＳＷ（３）４２３に接続されているため、急激な電流が流れて、非常夜電源Ｖ２に急激な電圧降下が発生する。
こうした非常夜電源Ｖ２のオーバーシュートや急激な電圧降下（アンダーシュート）は、電源ＳＷ（ＦＡＮ）４２１，電源ＳＷ（２）４２２，電源ＳＷ（３）４２３に接続されている各負荷回路４３１，４３２，４３３へ伝搬する。そうすると、各負荷回路４３１，４３２，４３３に障害が発生する可能性がある。
【００４５】
次に、図６を用いて、第２の従来例として、オーバーシュートやアンダーシュートへの対策を講じた画像形成装置１のコントローラ部４０について説明する。第２の従来例においては、図６のコントローラ部４０は、図４の示したものと比較して、放電抵抗を含む負荷回路（ダミー）４３４と、スイッチである電源ＳＷ（ダミー）４２４が追加されている。
なお、負荷回路（ダミー）４３４は、画像形成装置１本来の機能には直接関係するものではなく、上述した、非常夜電源Ｖ２のオーバーシュートを防止するために実装されるものである。
電源ＳＷ（ダミー）４２４（以下、「ＳＷ（ダミー）４２４」という）は、放電抵抗を含む負荷回路（ダミー）４３４へ供給する非常夜電源Ｖ２４の接続又は遮断を行うスイッチである。
ＳＷ（ダミー）４２４は、電源制御部４２０から出力される制御信号Ｐ２４により制御される。なお、制御信号Ｐ２４がＨｉｇｈになると、ＳＷ（ダミー）４２４はＯＮとなり、非常夜電源Ｖ２４が負荷回路（ダミー）４３４へ供給される。また、制御信号Ｐ２４がＬｏｗになると、ＳＷ（ダミー）４２４はＯＦＦとなり、非常夜電源Ｖ２４の負荷回路（ダミー）４３４へ供給は停止する。
【００４６】
図７は、図６に示した第２の従来例において、画像形成装置１がスタンバイモードから省電力モードに移行後、短時間で、再びスタンバイモードに復帰する際の、各制御信号と非常夜電源Ｖ２の電位の変化を示すタイミングチャートである。
図７のタイミングチャートでは、図５のタイミングチャートと比較して、制御信号Ｐ２４による負荷回路（ダミー）４３４の制御が追加されている。
【００４７】
まず、コントローラ部４０を冷却する必要がなくなったと不図示の検知手段が判断すると（ｔｓの時点）、電源制御部４２０はファンの駆動を停止する。そのため、そして、電源制御部４２０は、電源ＳＷ（ＦＡＮ）４２１に出力する制御信号Ｐ２１をＨｉｇｈからＬｏｗにする。これにより、電源ＳＷ（ＦＡＮ）４２１がＯＦＦとなり、負荷回路（ＦＡＮ）４３１への非常夜電源Ｖ２１の供給が停止する。
【００４８】
その後、ユーザが動作を指示することなくｔｓから一定時間が経過するか、ユーザがモード切替スイッチを押下して省電力モードへの移行を指示すると（ｔ１の時点）、画像形成装置１は省電力モードに移行する。この時点において、電源制御部４２０は出力する制御信号Ｐ２１，Ｐ２２をＬｏｗにすることにより、電源ＳＷ（２）４２２及び電源ＳＷ（３）４２３をＯＮにする。
同時に、電源制御部４２０は、制御信号Ｐ２４をＨｉｇｈにして、ＳＷ（ダミー）４２４をＯＮする。これにより、負荷回路（ダミー）４３４に非常夜電源Ｖ２４が供給され、電源コンデンサＣに蓄積している電荷が放電されるので、非常夜電源Ｖ２の電位はＧＮＤに急峻に下がっていく。
【００４９】
その後、ユーザがモード切替スイッチを押下して画像形成装置１が省電力モードからスタンバイモードへ復帰すると（ｔ２の時点）、電源制御部４２０は制御信号Ｐ２４を再びＬｏｗにする。そして、ＳＷ（ダミー）４２４をＯＦＦにして、負荷回路（ダミー）４３４への非常夜電源Ｖ２４の供給を停止する。同時に、電源制御部４２０は、制御信号Ｐ２１，Ｐ２２，Ｐ２３をＨｉｇｈにして、電源ＳＷ（ＦＡＮ）４２１，電源ＳＷ（２）４２２，電源ＳＷ（３）４２３をＯＮにする。
【００５０】
この際、非常夜電源Ｖ２の電位は、ＧＮＤ電位にまで下がっているので、オーバーシュートやアンダーシュートがない。
このように、第２の従来例では、放電抵抗を含む負荷回路（ダミー）４３４を用いることにより、非常夜電源Ｖ２の電位のオーバーシュートやアンダーシュートに起因する、各負荷回路４３１，４３２，４３３に発生する障害の防止を図っている。
しかし、第２の従来例においては、画像形成装置１本来の機能として不要な、放電抵抗を含む負荷回路（ダミー）４３４を用いているため、コストの増加をもたらし、また、回路構成が冗長となり実装面積を増大させてしまう。
【００５１】
そこで、第１の実施例として、負荷回路（ダミー）４３４を用いることなく、非常夜電源Ｖ２の電位のオーバーシュートやアンダーシュートに起因する、各負荷回路４３１，４３２，４３３に発生する障害の防止を図る手法について説明する。
【００５２】
図８は、第１の実施例における、画像形成装置１がスタンバイモードから省電力モードに移行後、短時間で、再びスタンバイモードに復帰する際の、各制御信号と非常夜電源Ｖ２の電位の変化を示すタイミングチャートである。
第１の実施例の画像形成装置１におけるコントローラ部４０のハードウェア構成は、図４に示したものと同様である。
ただし、本実施例においては、スタンバイモードから省電力モードに移行した後も、電源を接続して稼働させても画像形成装置１に影響を及ぼさない機能に対応する負荷回路に電源を供給するように制御を行う。具体的には、省電力モードにおいても、コントローラ部４０を冷却するためのファンを駆動するための負荷回路（ファン）４３１への電源供給を継続する。
【００５３】
まず、コントローラ部４０を冷却する必要がなくなったと不図示の検知手段が判断すると（ｔｓの時点）、電源制御部４２０はファンの駆動を停止する。そのため、電源制御部４２０は、電源ＳＷ（ＦＡＮ）４２１に出力する制御信号Ｐ２１をＨｉｇｈからＬｏｗにする。これにより、電源ＳＷ（ＦＡＮ）４２１をＯＦＦとして、負荷回路（ＦＡＮ）４３１への非常夜電源Ｖ２１の供給を停止する。
【００５４】
その後、ユーザが動作を指示することなくｔｓから一定時間が経過するか、ユーザがモード切替スイッチを押下して省電力モードへの移行を指示すると（ｔ１の時点）、画像形成装置１は省電力モードに移行する。この時点において、制御部４２０からリレーＲ２に出力される制御信号Ｐ２がＬｏｗになることにより、電源供給部６０が供給していた非常夜電源Ｖ２が遮断される。同時に、電源制御部４２０は、電源ＳＷ（２）４２２及び電源ＳＷ（３）４２３へ出力する制御信号ＳＷ２及びＳＷ３がＬｏｗにして、負荷回路（２）４３２及び負荷回路（３）４３３への非常夜電源Ｖ２２，Ｖ２３の供給を停止する。
【００５５】
ただし、第１の実施例では、省電力モードに移行してからも非常夜電源Ｖ２の電位にオーバーシュートが発生しないように、電源制御部４２０は制御信号Ｐ２１をＨｉｇｈにすることにより、電源ＳＷ（ＦＡＮ）４２１をＯＮする。そして、ＦＡＮ負荷回路（ファン）４３１への非常夜電源Ｖ２１の供給を再開する。
【００５６】
非常夜電源Ｖ２の電位は、電源供給部６０からの電源の供給が停止すると（ｔ１の時点）、ＧＮＤへと下がり始める。このとき、電源ＳＷ（ＦＡＮ）４２１がＯＮであることによりＦＡＮ負荷回路（ファン）４３１に非常夜電源Ｖ２１が供給されているため、ＦＡＮ負荷回路（ファン）４３１が非常夜電源Ｖ２１により稼働する。ＦＡＮ負荷回路（ファン）４３１の稼働により電源コンデンサＣに蓄積している電荷が放電されるので、非常夜電源Ｖ２の電位はＧＮＤに急峻に下がる。このため、スタンバイモードに復帰しても、非常夜電源Ｖ２の電位にオーバーシュートや急激な電圧降下（アンダーシュート）が発生しない。
【００５７】
ここで、ＦＡＮ負荷回路（ファン）４３１が電源コンデンサＣに蓄積された電荷の放電を完了する時間を確認して、所定時間（Ｔ１）としてあらかじめ設定しておく。そして、電源制御部４２０は、ｔ１からＴ１が経過した時点で、電源ＳＷ（ＦＡＮ）４２１へ出力する制御信号Ｐ１１をＬｏｗにする。
【００５８】
以上のとおり、第１の実施例においては、ダミー負荷回路を用いなくても、非常夜電源Ｖ２の電位を急峻にＧＮＤに下げることができる。このため、省電力モードに移行してから、操作部３０のモード切替スイッチが押下されることにより、短時間でスタンバイモードに復帰しても、非常夜電源Ｖ２の電位にオーバーシュートや急激な電圧降下（アンダーシュート）が発生しない。これにより、非常夜電源Ｖ２の電位を正常に立ち上げることができ、各負荷回路４３１，４３２，４３３に障害が発生することを防止することができる。
【００５９】
図１１は、第１の実施例における各制御信号の制御による各電源スイッチのＯＮ／ＯＦＦの変化を示すフローチャートである。
まず、スタンバイモードにおいて、コントローラ部４０を冷却する必要がなくなったと不図示の検知手段が判断する（Ｓ１１０１）。
そして、電源制御部４２０は、制御信号Ｐ１１をＬｏｗにして電源ＳＷ（ＦＡＮ）４２１をＯＦＦし、ＦＡＮ負荷回路（ファン）４３１へのＶ２１の供給を停止する（Ｓ１１０２）。
【００６０】
その後、ユーザが動作を指示することなく一定時間が経過するか、ユーザがモード切替スイッチを押下して省電力モードへの移行を指示すると、画像形成装置１は省電力モードに移行する。この時、電源制御部４２０は、制御信号Ｐ２をＬｏｗにすることで、リレーＲ２をＯＦＦし、電源供給部６０の非常夜電源Ｖ２による電源の供給を遮断する（Ｓ１１０３）。
同時に、省電力モードに移行してから、電源を接続して稼働させても画像形成装置１に影響を及ぼさないＦＡＮ負荷回路（ファン）４３１に電源を供給するために、電源制御部４２０は、制御信号Ｐ２１をＨｉｇｈにして電源ＳＷ（ＦＡＮ）４２１をＯＮする。そして、ＦＡＮ負荷回路（ファン）４３１に非常夜電源Ｖ２１を供給する（Ｓ１１０４）。
一方、電源制御部４２０は、制御信号Ｐ２２及びＰ２３をＬｏｗにして電源ＳＷ（２）４２２及び電源ＳＷ（３）４２３をＯＦＦすることにより、負荷回路（２）４２２及び負荷回路（３）４２３への非常夜電源Ｖ２２，Ｖ２３の供給を停止する（Ｓ１１０５）。
【００６１】
そして、ＦＡＮ負荷回路（ファン）４３１が電源コンデンサＣに蓄積された電荷を放電する時間Ｔ１が経過するのを待つ（Ｓ１１０６）。
時間Ｔ１が経過したら、電源制御部４２０は、制御信号Ｐ２１をＬｏｗにして電源ＳＷ（ＦＡＮ）４２１を再びＯＦＦして、ＦＡＮ負荷回路（ファン）４３１への非常夜電源Ｖ２１の供給を停止する（Ｓ１１０７）。
＜第２の実施例＞
【００６２】
次に、第２の実施例について説明する。図９は、第２の実施例における、コントローラ部４０のブロック図である。図９のコントローラ部４０は、図４に示したものと比較して、負荷回路（ＦＡＮ）４３１及び電源ＳＷ（ＦＡＮ）４２１が、それぞれ、ＳＷ（ＦＡＮ）４２５及び負荷回路（電源冷却ＦＡＮ）４３５に置き換わっている。
【００６３】
第１の実施例では、コントローラ部４０を冷却する必要がなくなったと不図示の検知手段が判断すると（ｔｓの時点）、負荷回路（ＦＡＮ）４３１への非常夜電源Ｖ２１の供給を停止していた。
これに対して、第２の実施例では、電源供給部６０を冷却する必要がなくなったと不図示の検知手段が判断すると、電源供給部６０を冷却するためのファンを駆動するための負荷回路（電源冷却ＦＡＮ）４３５への電源の供給を制御する。すなわち、電源制御部４２０の制御により、電源供給部６０は、通常時に比べて小さい（例えば、半分程度）の電力を負荷回路（電源冷却ＦＡＮ）４３５に供給して、電源冷却ファンを稼働する。なお、従来から、電源冷却ファンは、通常の動作に加えて、電力を半分にして、通常時に比べて半分の速度による動作（いわゆる、半速動作）を行う機能を有している。
そして、省電力モードに移行すると、電源制御部４２０は、負荷回路（電源冷却ＦＡＮ）４３５への電源の供給を停止する。
【００６４】
ＳＷ（ＦＡＮ）４２５は、電源のＯＮ／ＯＦＦを切り替える機能に加えて、電力を通常（全速）又は半分（半速）に切り替える機能を有する。電源制御部４２０は、制御信号Ｐ２５１としてＨｉｇｈ又はＬｏｗを出力することにより、ＳＷ（ＦＡＮ）４２５のＯＮ又はＯＦＦの制御をする。さらに、電源制御部４２０は、制御信号Ｐ２５２としてＨｉｇｈ又はＬｏｗを出力することにより、負荷回路（電源冷却ＦＡＮ）４３５の全速又は半速の制御をする。
【００６５】
まず、第２の実施例の比較例について説明する。図１３は、第２の実施例の比較例における、画像形成装置１がスタンバイモードから省電力モードに移行後、短時間で、再びスタンバイモードに復帰する際の、各制御信号と非常夜電源Ｖ２の電位の変化を示すタイミングチャートである。
【００６６】
まず、電源供給部６０を冷却する必要がなくなったと不図示の検知手段が判断すると（ｔｓの時点）、電源供給部６０は電源冷却ファンを半速動作にする。そのため、電源制御部４２０は、ＳＷ（ＦＡＮ）４２５に出力する制御信号Ｐ２５１をＨｉｇｈのまま、Ｐ２５２をＨｉｇｈからＬｏｗにする。これにより、負荷回路（電源冷却ＦＡＮ）４３５に供給される電源は通常時の半分となり、電源冷却ファンは半速で稼働する（半速動作）。
【００６７】
その後、ユーザが動作を指示することなくｔｓから一定時間が経過するか、ユーザがモード切替スイッチを押下して省電力モードへの移行を指示すると（ｔ１の時点）、画像形成装置１は省電力モードに移行する。この時点において、電源制御部４２０はリレーＲ２に出力する制御信号Ｐ２をＯＦＦにすることにより、外部電源から非常夜電源Ｖ２への電源の供給を遮断する。同時に、電源制御部４２０は、電源ＳＷ（２）４２２及び電源ＳＷ（３）４２３へ出力する制御信号ＳＷ２及びＳＷ３をＬｏｗにして、負荷回路（２）４３２及び負荷回路（３）４３３への非常夜電源Ｖ２２，Ｖ２３の供給を停止する。
これにより、非常夜電源Ｖ２の電位は、電源供給部６０からの電源の供給が停止した時点（ｔ１）から、ＧＮＤとへ下がり始める。しかし、ＳＷ（ＦＡＮ）４２５、電源ＳＷ（２）４２２、電源ＳＷ（３）４２３をＯＦＦして、負荷回路から切り離しているとともに、非常夜電源コンデンサＣに蓄積している電荷があるため、非常夜電源Ｖ２の電位はすぐにはＧＮＤへと下がらない。
【００６８】
ここで、ユーザが操作部３０のモード切替スイッチを押下して、画像形成装置１がスタンバイモードに復帰すると（ｔ２の時点）、電源制御部４２０はリレーＲ２に出力する制御信号Ｐ２をＨｉｇｈにし、外部電源から非常夜電源Ｖ２への電力の供給を再開する。そして、電源制御部４２０は、各ＳＷ（ＦＡＮ）４２５、電源ＳＷ（２）４２２、電源ＳＷ（３）４２３をＯＮして、負荷回路（電源冷却ＦＡＮ）４３５、負荷回路（２）４３２、負荷回路（３）４３３への非常夜電源Ｖ２１，Ｖ２２，Ｖ２３の供給を再開する。
【００６９】
しかし、非常夜電源Ｖ２の電位がＧＮＤに下がりきっていない段階において電源の供給が再開すると、電源コンデンサＣに電荷が蓄積しているため、非常夜電源Ｖ２にオーバーシュートが発生してしまう。オーバーシュートが発生すると、電源供給部６０は非常夜電源Ｖ２への電源の供給を緊急停止する。電源の供給が緊急停止すると、各負荷回路４３５，４３２，４３３が各スイッチＳＷ１（ＦＡＮ）４２５，電源ＳＷ（２）４２２，電源ＳＷ（３）４２３に接続されているため、急激な電流が流れて、非常夜電源Ｖ２に急激な電圧降下が発生する。
こうした非常夜電源Ｖ２のオーバーシュートや急激な電圧降下（アンダーシュート）は、電源ＳＷ（ＦＡＮ）４２１，電源ＳＷ（２）４２２，電源ＳＷ（３）４２３に接続されている各負荷回路４３５，４３２，４３３へ伝搬する。そうすると、各負荷回路４３５，４３２，４３３に障害が発生する可能性がある。
【００７０】
次に、第２の実施例について説明する。図１０は、第２の実施例における、画像形成装置１がスタンバイモードから省電力モードに移行後、短時間で、再びスタンバイモードに復帰する際の、各制御信号と非常夜電源Ｖ２の電位の変化を示すタイミングチャートである。
第２の実施例の画像形成装置１におけるコントローラ部４０のハードウェア構成は、図９に示したとおりである。
【００７１】
まず、電源供給部６０を冷却する必要がなくなったと不図示の検知手段が判断すると（ｔｓの時点）、電源供給部６０は電源冷却ファンを半速動作にする。そのため、電源制御部４２０は、ＳＷ（ＦＡＮ）４２５に出力する制御信号Ｐ２５１をＨｉｇｈのまま、Ｐ２５２をＨｉｇｈからＬｏｗにする。これにより、負荷回路（電源冷却ＦＡＮ）４３５に供給される電源は通常時の半分となり、電源冷却ファンの稼働は全速から半速になる（半速動作）。
【００７２】
その後、ユーザが動作を指示することなくｔｓから一定時間が経過するか、ユーザがモード切替スイッチを押下して省電力モードへの移行を指示すると（ｔ１の時点）、画像形成装置１は省電力モードに移行する。この時点において、電源制御部４２０はリレーＲ２に出力する制御信号Ｐ２をＯＦＦにすることにより、外部電源から非常夜電源Ｖ２への電源の供給を遮断する。同時に、電源制御部４２０は、電源ＳＷ（２）４２２及び電源ＳＷ（３）４２３へ出力する制御信号ＳＷ２及びＳＷ３をＬｏｗにして、負荷回路（２）４３２及び負荷回路（３）４３３への非常夜電源Ｖ２２，Ｖ２３の供給を停止する。
【００７３】
ただし、第２の実施例では、省電力モードに移行してからも非常夜電源Ｖ２の電位にオーバーシュートが発生しないように、省電力状態に入ってから電源を接続して稼働させてもシステムに影響を及ぼさない負荷回路（電源冷却ＦＡＮ）４３５に電源を供給する。このために、電源制御部４２０は制御信号Ｐ２５２をＬｏｗからＨｉｇｈにする。これにより、負荷回路（電源冷却ＦＡＮ）４３５に供給される電源を通常時に戻し、電源冷却ファンを全速で稼働する（全速動作）。
【００７４】
非常夜電源Ｖ２の電位は、電源供給部６０からの電源の供給が遮断されると（ｔ１の時点）、ＧＮＤへと下がり始める。このとき、ＳＷ（ＦＡＮ）４２５がＯＮであることにより負荷回路（電源冷却ＦＡＮ）４３５に非常夜電源Ｖ２５が供給されているため、電源コンデンサＣに蓄積している電荷が放電される。このため、非常夜電源Ｖ２の電位はＧＮＤに急峻に下がるため、オーバーシュートや急激な電圧降下（アンダーシュート）が発生しない。
【００７５】
ここで、負荷回路（電源冷却ＦＡＮ）４３５が電源コンデンサＣに蓄積された電荷の放電を完了する時間を確認して、所定時間（Ｔ５）としてあらかじめ設定しておく。そして、電源制御部４２０は、ｔ１からＴ５が経過した時点で、負荷回路（電源冷却ＦＡＮ）４３５へ出力する制御信号Ｐ２５１をＬｏｗにする。
【００７６】
以上のとおり、第２の実施例においても、ダミー負荷回路を用いなくても、非常夜電源Ｖ２の電位を急峻にＧＮＤに下げることができるために、オーバーシュートや急激な電圧降下（アンダーシュート）が発生しない。このため、省電力モードに移行してから、操作部３０のモード切替スイッチがＯＮされてスタンバイモードへ復帰するまでの時間が短くても、スタンバイモードに復帰してから非常夜電源Ｖ２の電位が正常に立ち上がる。これにより、各負荷回路４３５，４３２，４３３に障害が発生することを防止することができる。
【００７７】
図１２は、第２の実施例における各制御信号の制御による各電源スイッチのＯＮ／ＯＦＦの変化を示すフローチャートである。
まず、スタンバイモードにおいて、電源供給部６０を冷却する必要がなくなったと不図示の検知手段が判断する（Ｓ１２０１）。
そして、電源制御部４２０は、制御信号Ｐ２５１をＨｉｇｈにしたまま、制御信号Ｐ２５２をＨｉｇｈからＬｏｗにする。そして、電源冷却ファンを半速で稼働する（Ｓ１２０２）。
【００７８】
その後、ユーザが動作を指示することなく一定時間が経過するか、ユーザがモード切替スイッチを押下して省電力モードへの移行を指示すると、画像形成装置１は省電力モードに移行する。この時、電源制御部４２０は、制御信号Ｐ２をＬｏｗにして、リレーＲ２をＯＦＦすることで、電源供給部６０の非常夜電源Ｖ２による電源供給を遮断する（Ｓ１２０３）。
同時に、省電力モードに移行してから、電源を接続して稼働させても画像形成装置１に影響を及ぼさない負荷回路（電源冷却ＦＡＮ）４３５に電源を供給するために、電源制御部４２０は、制御信号Ｐ２５１をＬｏｗからＨｉｇｈにする。そして、電源冷却ファンを半速で稼働する（Ｓ１２０４）。
一方、電源制御部４２０は、制御信号Ｐ２２及びＰ２３をＬｏｗにして電源ＳＷ（２）４２２及び電源ＳＷ（３）４２３をＯＦＦすることにより、負荷回路（２）４２２及び負荷回路（３）４２３への非常夜電源Ｖ２２，Ｖ２３の供給を停止する（Ｓ１２０５）。
【００７９】
そして、負荷回路（電源冷却ＦＡＮ）４３５が電源コンデンサＣに蓄積された電荷を放電する時間Ｔ５が経過するのを待つ（Ｓ１２０６）。
時間Ｔ５が経過したら、電源制御部４２０は、制御信号Ｐ２５２をＬｏｗにしてＳＷ（ＦＡＮ）４２５を再びＯＦＦして、負荷回路（電源冷却ＦＡＮ）４３５への非常夜電源Ｖ２５の供給を停止する（Ｓ１２０７）。
【００８０】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
また、本発明は、複数の機器から構成されるシステムに適用しても、１つの機器からなる装置に適用してもよい。
本発明は上述の実施例に限定されるものではなく、本発明の趣旨に基づき種々の変形（各実施例の有機的な組合せを含む）が可能であり、それらを本発明の範囲から除外するものではない。すなわち、上述の実施例及びその変形例を組み合わせた構成もすべて本発明に含まれるものである。
【符号の説明】
【００８１】
１          画像形成装置
４０        コントローラ部
６０        電源供給部
４２０      電源制御部
４３１      負荷回路（ファン）
４３２      負荷回路（２）
４３３      負荷回路（３）
４３５      負荷回路（電源冷却ＦＡＮ）
【図１】
2020076876.tif 000003
【図２】
2020076876.tif 000004
【図３】
2020076876.tif 000005
【図４】
2020076876.tif 000006
【図５】
2020076876.tif 000007
【図６】
2020076876.tif 000008
【図７】
2020076876.tif 000009
【図８】
2020076876.tif 000010
【図９】
2020076876.tif 000011
【図１０】
2020076876.tif 000012
【図１１】
2020076876.tif 000013
【図１２】
2020076876.tif 000014
【図１３】
2020076876.tif 000015